(57)【要約】【課題】  口紅やファンデーション等の化粧料を顧客等に試供品として提供するための化粧料容器において、化粧料をその成分を変化させることなく収容可能であるとともに、低コストで製造できる化粧料容器及びその製造方法を提供する。【解決手段】  所定形状の打抜孔１１が形成された台紙１２と、この台紙１２の片面に貼着される合成樹脂製の上部シート１３とを備え、上部シート１３に前記打抜孔１１内に突出するとともに化粧料１７を収容可能な凹部１４を設け、化粧料１７が収容された該凹部１４の開口部１５をカバーフィルム１６で閉塞してなる。【選択図】    図２
2006141858.tif 000002
【特許請求の範囲】
【請求項１】
所定形状の打抜孔が形成された台紙と、
該台紙の片面に貼着される合成樹脂製のシートとを備え、
該シートに前記打抜孔内に突出するとともに化粧料を収容可能な凹部を設け、化粧料が収容された該凹部の開口部をカバーフィルムで閉塞してなることを特徴とする化粧料容器。
【請求項２】
前記凹部は、前記シートを加熱した状態で前記打抜孔側に吸引することによって形成されていることを特徴とする請求項１記載の化粧料容器。
【請求項３】
薄状の台紙に所定形状の打抜孔を形成する打抜孔形成工程と、
この打抜孔を被覆すべく前記台紙の片面に合成樹脂製のシートを貼着するシート貼着工程と、
前記シートに前記台紙の打抜孔内に突出する凹部を形成する凹部形成工程と、
該凹部内に化粧料を収容する化粧料収容工程と、
前記凹部の開口部をカバーフィルムで閉塞する凹部閉塞工程とを有することを特徴とする化粧料容器の製造方法。
【請求項４】
前記凹部形成工程は、前記シートを加熱した状態で前記打抜孔側に吸引することで前記凹部を形成することを特徴とする請求項３記載の化粧料容器の製造方法。
【発明の詳細な説明】
【技術分野】
【０００１】
本発明は、口紅やファンデーション等の化粧料を収容する容器に関するものであり、化粧料を試供品として顧客等に提供するためのより好適な化粧料容器及びその製造方法に関する。
【背景技術】
【０００２】
従来より、口紅やファンデーション等の化粧料を試供品として顧客に提供するための化粧料容器として、プラスチック製の小さな容器（ジャータイプ）や四方シールの袋に化粧料を充填したものなどが知られている。しかし、上記プラスチック製の容器は、嵩張るためハンドバック等での携帯には不便であり、ＤＭ（ダイレクトメール）による宣伝にも郵送費を含めコスト面で不利になっている。また、袋の場合、その開封がうまくいかずに中味が飛び散ってしまったり、化粧料を手或いは化粧用具に取り出すときにも、こぼさないようにするなど慎重を要し、扱い難いものとなっている。
そのため、これらの問題を解決するものとして、例えば、適宜の厚さを有する台紙に打抜孔を形成するとともに、この台紙の裏面にシートを貼着して打抜孔の底部を成し、この打抜孔内に化粧料を収容させ、台紙の表面には上記打抜孔を塞ぐ透明フィルムを剥離可能に貼着させた化粧料容器が提供されている。（特許文献１参照）
この化粧料容器は、紙製で嵩張らない薄いカード型に形成できるため、携帯に便利であり、また郵送費も低減できてコスト面も有利である。加えて、透明フィルムを剥がせば化粧料を使用することができるので扱い易いものになっている。
【特許文献１】実開平１−１５３１１２号公報
【発明の開示】
【発明が解決しようとする課題】
【０００３】
しかし、上記のような構成では、化粧料を収容する打抜孔の内壁面は台紙であるため、化粧料に含まれる油分が時間とともに徐々に台紙に染み込んでしまう。このように、油分の抜け出した化粧料は、肌に付けたときのノビも良くなく化粧料自体の使用感も変化してしまうなどして、化粧料の商品価値の低下を招き、本来の化粧料と違うものになってしまう虞があった。
そのため、上記のような化粧料容器に用いられる台紙部分をプラスチック製に変えることも考えられる。しかし、プラスチック製に変えると、商品の成分や使用方法などを印刷するために、印刷部分の表面を加工する処理が必要となるので、製造が複雑になるだけでなく、紙に比べて材料費が高価になるという問題がある。
【課題を解決するための手段】
【０００４】
本発明は、かかる従来技術の問題点を解決するものであって、その目的とするところは、口紅やファンデーション等の化粧料を顧客等に試供品として提供するための化粧料容器において、化粧料をその成分を変化させることなく収容可能であるとともに、低コストで製造できる化粧料容器及びその製造方法の提供にある。
【０００５】
そこで、本発明に於いて上記目的を達成するために、まず請求項１に係る発明は、所定形状の打抜孔が形成された台紙と、該台紙の片面に貼着される合成樹脂製のシートとを備え、該シートに前記打抜孔内に突出するとともに化粧料を収容可能な凹部を設け、化粧料が収容された該凹部の開口部をカバーフィルムで閉塞してなることを特徴とする。
【０００６】
また、請求項２に係る発明は、請求項１に係る発明において、前記凹部は、前記シートを加熱した状態で前記打抜孔側に吸引することによって形成されていることを特徴とする。
【０００７】
また、請求項３に係る発明は、薄状の台紙に所定形状の打抜孔を形成する打抜孔形成工程と、この打抜孔を被覆すべく前記台紙の片面に合成樹脂製のシートを貼着するシート貼着工程と、前記シートに前記台紙の打抜孔内に突出する凹部を形成する凹部形成工程と、該凹部内に化粧料を収容する化粧料収容工程と、前記凹部の開口部をカバーフィルムで閉塞する凹部閉塞工程とを有することを特徴とする。
【０００８】
また、請求項４に係る発明は、請求項３に係る発明において、前記凹部形成工程は、前記シートを加熱した状態で前記打抜孔側に吸引することで前記凹部を形成することを特徴とする。
【発明の効果】
【０００９】
請求項１に係る発明によれば、化粧料は、合成樹脂製のシートに形成された凹部内に収容されるので、直接台紙に触れることはなく、よって、化粧料に含まれる油分が時間とともに台紙に染み込んでしまうことを防止することができる。そのため、化粧料を時間が経ってもその成分を変化させることなく収容することができる。よって、化粧料の商品価値を低下させることなく、実際に販売される化粧料と同等の品質で顧客に提供でき、試用してもらうことが可能となる。
また、台紙、つまり紙を用いるため、材料費を抑えながら低コストで形成することができる。
【００１０】
請求項２に係る発明によれば、シートを加熱した状態で打抜孔側に吸引することで抜孔内に突出する凹部を形成するため、打抜孔の形状に合わせるように精度管理をしなくても、打抜孔の形状に合った凹部を容易に形成することができるので製造が容易となる。また、台紙とシートとに一体感を持たせることができるので、見栄えをよくすることができる。
【００１１】
請求項３に係る発明によれば、打抜孔形成工程で薄状の台紙に所定形状の打抜孔を形成し、上記打抜孔を被覆すべくシート貼着工程で前記台紙の片面に合成樹脂製のシートを貼着して、凹部形成工程で台紙の打抜孔内に突出する凹部をシートに形成する。そして、化粧料収容工程で上記凹部内に化粧料を収容して、凹部閉塞工程で凹部の開口部をカバーフィルムで閉塞すると、化粧料は、合成樹脂製のシートの凹部内に収容されるので、直接台紙に触れることはなく、よって、化粧料に含まれる油分が時間とともに台紙に染み込んでしまうことを防止することができる。そのため、化粧料を時間が経ってもその成分を変化させることなく収容することができる。よって、化粧料の商品価値を低下させることなく、実際に販売される化粧料と同等の品質で顧客に提供でき、試用してもらうことが可能となる。
【００１２】
請求項４に係る発明によれば、シートを加熱した状態で打抜孔側に吸引することで抜孔内に突出する凹部を形成するため、打抜孔の形状に合わせるように精度管理をしなくても、打抜孔の形状に合った凹部を容易に形成することができるので製造が容易となる。また、台紙とシートとに一体感を持たせることができるので、見栄えを良くすることができる。
【発明を実施するための最良の形態】
【００１３】
以下、本発明の一実施形態について、図面を用いて説明する。
本実施形態の化粧料容器１０は、図１及び図２に示すように、紙製の台紙１２と、その一方の片面に貼着される合成樹脂製の上部シート１３と、台紙１２の他方の片面に貼着される合成樹脂製の下部シート１９とを有している。
【００１４】
上記台紙１２は、所定の厚さを有してカード型に形成されている。
台紙１２は、紙厚０．３〜２．０ｍｍのもので、厚さの異なる複数枚の用紙を貼り合わせて構成された合紙からなっており、具体的には厚さ方向の中央部分を構成するベース厚紙２１と、その両側に貼り合わせられる一対の印刷用紙２３とを有している。ベース厚紙２１は、台紙１２に適度な厚みを付与するためのものであり、その紙厚は０．５〜１．０ｍｍで、１枚或いは複数枚の用紙からなる。一対の印刷用紙２３は、０．１〜０．５ｍｍの紙厚で印刷を施し易い厚さになっており、それぞれ同じ紙厚のものが用いられる。これら印刷用紙２３の表面には化粧料１７の商品名や広告等の印刷が施されることになるが、その印刷方法を選ぶことにより、さまざまな印刷表現が可能となっている。これら印刷用紙２３は、印刷が施された表面とは反対の裏面でベース厚紙２１に貼り付けられる。
【００１５】
なお、上述したベース厚紙２１及び印刷用紙２３のそれぞれの斥量を変えることによって、上記台紙１２の厚みを自由に決定することができる。ここで、印刷用紙２３の紙厚に対してベース厚紙２１の紙厚のほうが厚いことが好ましい。これにより、台紙１２の強化及び変形防止に繋がる。
【００１６】
上記下部シート１９は、台紙１２の一方の片面に全面的に貼着されるものであり、その厚さは、台紙１２の厚さよりも薄く形成されている。下部シート１９としては、厚さ０．０１ｍｍ〜１．０ｍｍのポリエチレンテレフタレート、ポリプロピレン、ポリ塩化ビニルなどからなるシートが用いられる。このような材料を用いれば、機械的強度、耐熱性、耐薬品性、成形加工性などに優れているだけでなく安価であるため、大量に生産が可能である。
【００１７】
下部シート１９が貼着された台紙１２には、これら下部シート１９及び台紙１２の厚さ方向に貫通する所定形状の打抜孔１１が複数形成されており、その数は、後に収容される化粧料１７の収容箇所の数に応じて決定される。これら打抜孔１１の形状は、図１に示すように、円形状が好適であるが、楕円形状、矩形状等でもよく、さらにそれ以外の形状であっても構わない。
【００１８】
上記上部シート１３は、台紙１２の他方の片面に全面的に貼着されるものであり、その厚さは、下部シート１９と同じとされている。具体的には、この上部シート１３として、下部シート１９と同様、厚さ０．０１ｍｍ〜１．０ｍｍのポリエチレンテレフタレート、ポリプロピレン、ポリ塩化ビニルなどからなるシートが用いられる。
【００１９】
この上部シート１３は、上記各打抜孔１１内に突出する凹部１４を有しており、これら凹部１４の内側に化粧料１７を収容可能となっている。凹部１４は、打抜孔１１の数と同じ数だけ形成されている。なお、各凹部１４内には、色，種類の異なる化粧料１７が収容されることになる。
【００２０】
凹部１４は、上部シート１３を加熱し、台紙１２の下部シート１９が貼着されている側から上部シート１３を真空吸引することによって形成される。この凹部１４は、打抜孔１１の形状に合った形状となっており、円筒状の側壁部１４ａと、その一端を閉塞させる円板状の底部１４ｂとを有している。この凹部１４の側壁部１４ａの外壁面と打抜孔１１の内壁面とは隙間なく密着している。このとき、凹部１４の底部１４ｂの下面は下部シート１９の台紙１２とは反対側の下面と面一となるように形成されている。
【００２１】
ここで、凹部１４は、上記上部シート１３の一部が延びて凹状に形成されることから、凹部１４の側壁部１４ａ及び底部１４ｂは、元々の上部シート１３の厚さ、つまり、台紙１２の上面に貼着される部分の厚さよりも薄く形成されることになる。
【００２２】
また、凹部１４の大きさ（孔径）は、化粧料１７の収容量によって適宜変えられるものであるが、化粧料１７の使用時において、顧客等が指或いは化粧用用具等を挿入可能な大きさ、つまり、化粧料１７を取り出し易い大きさとするのが良い。このような凹部１４が形成できるように打抜孔１１が設定されている。
【００２３】
このように、凹部１４は、打抜孔１１内に突出した状態であるとともに台紙１２内に収められているため、台紙１２によって保護されることになり、外部の衝撃などによる変形や、多数個重ね合わせた輸送時及び保管時に凹部１４が潰れて化粧料１７が漏れ出すなど、その化粧料１７の商品価値が低下してしまうようなことを防ぐことができる。
【００２４】
また、台紙１２の両面に合成樹脂製の上部シート１３及び下部シート１９を貼着することで、台紙１２の強度を向上させるとともに台紙１２が汚れるのを防ぐことができ、その上、合成樹脂の放つ光沢により、高級感のある化粧料容器１０とすることができる。このとき、上述したように、上部シート１３の厚さと下部シート１９の厚さとを同じにしておくことによって、上部シート１３に凹部１４を形成するときに、台紙１２が反り返えるように変形してしまうことを防止することができる。
【００２５】
なお、上部シート１３の色は何色でもよく、その表面に印刷にて着色することも可能であるが、透明にすれば上記印刷用紙２３の表面に施された化粧料１７の広告等の印刷を一見することができるとともに、凹部１４内の化粧料１７の色及びその性状等を外部から視認することができる。また、下部シート１９も同様である。
【００２６】
ここで、上部シート１３を台紙１２に貼着する前に、この上部シート１３に予め凹部１４を形成しておくことも可能である。これにより、作業が分担できるので作業時間の短縮を図ることができる。また、例えば、意匠性を考慮して、凹部１４の底部１４ｂの下面を下部シート１９から突出させて形成することも可能である。
【００２７】
化粧料容器１０は、化粧料が収容された各凹部１４の開口部１５を閉塞させるカバーフィルム１６を有している。このカバーフィルム１６は、凹部１４の開口部１５を閉塞すべく上部シート１３の表面に接着剤を介して貼着されている。具体的に、カバーフィルム１６としては、厚さ０．０１ｍｍ〜１．０ｍｍであって、下部シート１９及び上部シート１３と同様、ポリプロピレン、ポリエチレンテレフタレート、ポリ塩化ビニルなどの樹脂製シートが用いられる。
【００２８】
カバーフィルム１６には、凹部１４の開口部１５の周囲部分に切り込みを施すことで蓋部２９が形成されている。蓋部２９には、これを開封するための舌状のつまみ片３０が形成されており、このつまみ片３０の対向側に、カバーフィルム１６の蓋部２９以外の貼着部２８に繋がる脱落防止用の帯状片３１が形成されている。なお、帯状片３１の端部にはミシン目が施されている。
【００２９】
このように、カバーフィルム１６に蓋部２９を形成することによって、顧客等の使用時において、蓋部２９を剥離しても蓋部２９は貼着部２８に繋がっているため、これを廃棄する煩わしさがなくなる。また、ミシン目で折ると蓋部２９の戻りがなくなり、より使用し易いものとなる。また、蓋部２９を紛失することなく再び凹部１４の開口部１５を閉塞することが可能となるので、使い切るまで化粧料１７を保存することが可能となる。
【００３０】
なお、カバーフィルム１６を上部シート１３の表面に全体的に貼着させるのではなく、図３に示すように、凹部１４の開口部１５を被覆可能であるとともに上部シート１３に貼着可能な最低限の大きさに形成し、上部シート１３の表面において、凹部１４の開口部１５を閉塞するように、この開口部１５の周縁に貼着させられるカバーフィルム３６を用いることもできる。この場合、このカバーフィルム３６の一端にも舌状のつまみ片３７を設けておく。なお、カバーフィルム３６の一端を上部シート１３に固定しておくことも可能であり、利用する顧客等が適宜開閉できるように設けられると利便性が良い。
【００３１】
上記のようなカバーフィルム１６，３６を上部シート１３に貼着する際に用いられる接着剤には、感熱接着剤，感圧粘着接着材等が用いられる。これにより、蓋部２９及びカバーフィルム３６の接着部分には、イージーピール性が付与されることになり、化粧料１７を保護するために強固に接着可能でありながら、利用時には容易に剥離できるようになっている。また、被着体となるこのカバーフィルム１６，３６の材質や要求される剥離強度により、その接着剤を選定することができる。ただし、上述したつまみ片３０，３７の部分だけは、上部シート１３の表面に貼着せずに設けられている。
【００３２】
以上のように構成される化粧料容器１０は、平坦で嵩張らない化粧料１７の試供品として顧客に提供される。
【００３３】
次に、上記した化粧料容器１０の製造方法について説明する。
図４に示すように、合紙からなる台紙１２を形成する。この台紙１２の大きさは、複数の化粧料容器１０を産出可能なものとする。
まず、２枚の印刷用紙２３の表面に、化粧料１７の商品名や広告、使用上の注意書きなどをオフセット印刷にて印刷する。この場合、台紙１２は３枚貼りであり、１枚或いは複数枚の用紙からなる上記ベース厚紙２１の厚さ方向両面に、印刷用紙２３を裏面において貼着させて台紙１２を形成する。印刷用紙２３は、台紙１２を構成している用紙のうち最も外側に貼着される。なお、台紙１２が２枚貼りの場合、これら２枚の印刷用紙２３の裏面同士を貼り合わせるだけで形成される。
【００３４】
このように形成された台紙１２の片面に、上記下部シート１９を例えば感熱接着材によって貼着する。そして、打抜き加工機を用いて、図５に示すように、台紙１２及び下部シート１９を厚さ方向に貫通する所定形状の打抜孔１１を互いに間隔をおいて複数形成する（打抜孔形成工程）。
【００３５】
次いで、図６に示すように、上記台紙１２の片面であって、下部シート１９の貼着側とは反対側の面に打抜孔１１を塞ぐように、例えば、感熱接着剤によって上部シート１３を貼着する（シート貼着工程）。
【００３６】
このようにして、一体になった台紙１２、下部シート１９及び上部シート１３を加熱して、上部シート１３が変形し易い状態になったところで、図７に示すように、台紙１２をその下部シート１９側を下側にして真空形成機３３に載せ、この真空形成機３３で、打抜孔１１の内の空気を吸引する。すると、上部シート１３が打抜孔１１の内壁面に沿って伸びながら真空形成機３３側へと吸引されて、図８に示すように、打抜孔１１内に突出するように凹部１４が形成されることになる（凹部形成工程）。
これにより、台紙１２に設けられた打抜孔１１の形状に合った凹部１４を容易に形成することができる。
【００３７】
次に、全体が冷却硬化した後、図９に示すように、凹部１４内に所定量の化粧料１７を収容する（化粧料収容工程）。このときの化粧料１７の収容量は、化粧料１７の種類によって異なっている。口紅等のような固着する化粧料１７は、凹部１４内からこぼれない量を充填して収容するが、パウダータイプの化粧料１７は、凹部１４内に隙間なく充填するのではなく、粒子間に間げきを有して粒子同士が動くことができるような量を収容し、パウダーの性状が分かるようにする。また、固着する化粧料１７を熱で溶かして充填する場合には、上記のような凹部１４の冷却を完全に待たずして行うこともできるため、作業性の向上を図ることが可能となる。
【００３８】
次に、図１０に示すように、上部シート１３の表面に蓋部２９を有するカバーフィルム１６を貼着する（凹部閉塞工程）。まず、カバーフィルム１６の蓋部２９が開口部１５を閉塞するように位置決めし、カバーフィルム１６の裏面、或いは上部シート１３の表面に塗布された接着剤を介して上部シート１３へと貼着する。このとき、蓋部２９の接着部分には、イージーピール性を付与して設ける。このときに用いる接着剤には、感熱接着剤或いは感圧接着剤が採用できるので、用途に応じて適切な接着剤を選択すればよい。感圧接着剤（粘着剤）又は溶着性樹脂による接着は、ロール等で圧力をかけて行う。この場合、加熱の必要がないので、熱に弱い材料に対する接着剤として適当である。また、感熱接着剤による接着は、超音波或いは熱を加えることによって溶剤が溶融して接着するので、上部シート１３に対して強固に接着する。また、蓋部２９のつまみ片３０の部分には熱を加えずに、上部シート１３に接着しないでおく。
【００３９】
次に、仕上げとして台紙１２の断裁を行い、例えば図１に示すようなカード型に形成する。
【００４０】
なお、上述した凹部１４の形成に、プレス機等を用いても良い。その場合、上部シート１３に予め押圧処理を施して凹部１４を形成しておき、この凹部１４を打抜孔１１内に位置決めしつつ上部シート１３を台紙１２に貼着する。
【００４１】
以上に述べた本実施形態によれば、化粧料１７は、合成樹脂製の上部シート１３に形成された凹部１４内に収容されることになるので、直接台紙１２に触れることはない。よって、化粧料１７に含まれる油分が時間とともに台紙１２に染み込んでしまうことを防止することができる。そのため、化粧料１７を時間が経ってもその成分を変化させることなく、凹部１４内に収容することができる。したがって、化粧料１７の商品価値を低下させることなく、実際に販売される化粧料１７と同等の品質で顧客に提供することができ、試用してもらうことが可能となる。
【００４２】
また、化粧料容器１０の基部となる台紙１２に紙を用いるため、材料費を抑えながら低コストで形成することができる。その上、プラスチックへの印刷のような表面処理を必要とすることなく印刷を施すことができ、印刷しやすく、高級印刷表現も可能となる。
【００４３】
加えて、上部シート１３を加熱した状態で打抜孔１１側に吸引することで打抜孔１１内に突出する凹部１４を形成するため、打抜孔１１の形状に合わせるように精度管理をしなくても、打抜孔１１の形状に合った凹部１４を容易に形成することができるので製造が容易となる。さらに、打抜孔１１と凹部１４とは一体的に形成されるので、見栄えが良く、また、強度も高くなる。
【００４４】
このような化粧料容器１０及びその製造方法によれば、化粧料１７の成分を変化させることなく収容可能であるとともに低コストで製造することが可能となり、平坦で嵩張らない化粧料１７の試供品として顧客へ試供することができる。
【００４５】
また、上部シート１３、下部シート１９、カバーフィルム１６を全て透明にすれば、台紙１２の両側から中味を確認することができる。
【実施例】
【００４６】
次に本発明を実施例により、さらに具体的に説明する。
まず、合紙である台紙１２はベース厚紙２１として、３５０〜６００ｇ／ｍ２のチップボール（日本板紙株式会社製）を使用し、その両面を四六判、連量１９０〜３１０ｇ／ｍ２の印刷用紙２３（日本製紙株式会社製  アイベストＷ）で被覆した。このように構成された台紙１２の片面に、厚さ０．１５〜２．５ｍｍの下部シート１９（電気化学工業株式会社製  Ａ−ＰＥＴ２００μ）を貼り合わせた後に上記打抜孔１１を形成し、上記下部シート１９と同様、厚さ０．１５〜２．５ｍｍの上部シート１３（電気化学工業株式会社製  Ａ−ＰＥＴ２００μ）を台紙１２の他面側に貼着し、下部シート１９側から真空吸引することによって、直径２３．５ｍｍ、深さ１．０ｍｍの凹部１４を良好に形成することができた。この凹部１４を閉塞するカバーフィルム１６には、ポリプロピレンフィルム（株式会社ユポ・コーポレーション社製  ユポタック＃８０）を使用し、感熱接着剤を介して上部シート１３に貼着した。
【００４７】
上記台紙１２は、その厚さが０．１〜５ｍｍの範囲であればよく、構成する印刷用紙２３及びベース厚紙２１の組み合わせは自由である。
【００４８】
なお、上記実施形態に限らず、上記凹部１４の底部１４ｂの下面及び下部シート１９を覆うようにして、化粧料１７の広告等を印刷したシール等を貼着しても良い。下部シート１９は、台紙１２に設けられることが好ましいが、設けなくてもよい。
【図面の簡単な説明】
【００４９】
【図１】本発明における一実施形態の全体を示す斜視図である。
【図２】本発明における一実施形態の図１に示すＩＩ−ＩＩ線に沿う断面図である。
【図３】本発明における一実施形態の変形例を示す断面図である。
【図４】本発明における一実施形態の製造方法を示す工程図である。
【図５】本発明における一実施形態の製造方法を示す工程図である。
【図６】本発明における一実施形態の製造方法を示す工程図である。
【図７】本発明における一実施形態の製造方法を示す工程図である。
【図８】本発明における一実施形態の製造方法を示す工程図である。
【図９】本発明における一実施形態の製造方法を示す工程図である。
【図１０】本発明における一実施形態の製造方法を示す工程図である。
【符号の説明】
【００５０】
１０  化粧料容器
１１  打抜孔
１２  台紙
１３  上部シート（シート）
１４  凹部
１５  開口部
１６  カバーフィルム
１７  化粧料
【図１】
2006141858.tif 000003
【図２】
2006141858.tif 000004
【図３】
2006141858.tif 000005
【図４】
2006141858.tif 000006
【図５】
2006141858.tif 000007
【図６】
2006141858.tif 000008
【図７】
2006141858.tif 000009
【図８】
2006141858.tif 000010
【図９】
2006141858.tif 000011
【図１０】
2006141858.tif 000012